(57)【要約】【課題】安価に製造でき、組み立てが容易で、回転軸のトルク調整が容易なヒンジ機構を提供する。【解決手段】第１ブラケット２に対して回転軸３１を介して回動自在に支持部材３を支持する水平回転機構８において、回転軸３１と一体回動するワッシャーカム５１の係合凹部５１２ａ、５１２ｂに対して、第ブラケット２に締着固定されるクリックプレート５２ａ、５２ｂの先端部５２２を重ね、先端部５２２に形成された係合凸部５２４、５２４と係合凹部５１２ａ、５１２ｂとを係脱自在に係合する。係合凸部５２４、５２４の押圧力は、クリックプレート５２ａ、５２ｂの締着構造を変更することで調整することができる。【選択図】図３
2016205507.tif 000002
【特許請求の範囲】
【請求項１】
第１筐体と第２筐体とを互いに回動可能に連結するヒンジ機構であって、
前記第１筐体及び前記第２筐体のいずれか一方に取り付けられる第１ブラケットと、この第１ブラケットに対し水平回転機構を介して回転可能に設けられた支持部材と、この支持部材に対し取り付けられたところの前記第１筐体及び前記第２筐体のいずれか他方に取り付けられる第２ブラケットとを備え、
前記水平回転機構は、
回転軸と、
該回転軸を回動自在に軸支する回転支持部と、
前記回転軸と前記回転支持部とにそれぞれ設けられ、凹と凸との係合によって一方が他方に対して係脱可能な一対の係合部と、
前記一対の係合部の内、一方の係合部を備え、前記回転支持部側に固定されるとともに、前記一方の係合部を他方の係合部へ向けて押接させる係合部材と、
他方の係合部は、前記回転軸の回動と一体として円弧軌跡上を移動する機構であって、
前記係合部材は、板状であって前記第１ブラケットに締着固定されていることを特徴するヒンジ機構。
【請求項２】
前記回転軸の回動時に、凸側の係合部が摺接する摺接部を有し、前記凸側の係合部の前記摺接部への押接圧を調節することによって、前記回転軸の回動に必要なトルクを調節する請求項１に記載のヒンジ機構。
【請求項３】
前記係合部材の厚さを調整することによって、押接圧を調節する請求項２に記載のヒンジ機構。
【請求項４】
前記係合部材の締着部と係合部との距離を調節することによって、押接圧を調節する請求項２又は３に記載のヒンジ機構。
【請求項５】
前記係合部材の締着部の締着力を調節することによって、押接圧を調整する請求項２〜４のいずれかに記載のヒンジ機構。
【請求項６】
前記係合部材は、回転軸を挿通させる挿通孔と、挿通孔内周部の対向位置に各設けられた凸側の係合部と、該凸側の係合部から挿通孔の外方向へ各延設された締着部を設けた基体とを有する請求項２〜５のいずれかに記載のヒンジ機構。
【発明の詳細な説明】
【技術分野】
【０００１】
この発明は、ノート型パソコン等のような小型の電子機器における機器本体とディスプレイ装置とを互いに回動可能に連結するヒンジ機構に関するものである。
【背景技術】
【０００２】
ノート型パソコン、携帯電話機、カーナビゲーション装置等の小型の電子機器では、機器本体にディスプレイ装置が開閉装置を介して開閉可能に取り付けられている。この開閉装置としては、ディスプレイ装置を機器本体に対して相対的に縦方向の開閉を行う、すなわち、垂直方向の回転を行うことができると共に、ディスプレイ装置を機器本体に対して９０°まで開いたとき、ディスプレイ装置を機器本体に対して相対的にさらに水平方向（ディスプレイ装置の開閉方向（垂直方向）と直交する方向）に回転させることができるヒンジ機構が提案されている(特許文献１)。このようなヒンジ機構は、例えばパソコン本体のハウジング取り付けられる取付部材に、回動自在に支持部材を接続し、その接続された回動軸について、位置決め機構を設けた構造となっていた。図９に示されている位置決め機構は、取付部材８０に支持部材８１を回転自在に接続する回転軸８２に設けられる。位置決め機構は、回転軸８２と一体として回転するワッシャーカム８３と、ワッシャーカム８３の外周面に形成された凹部８３１へ向けて押接されるプッシュカム８４と、プッシュカム８４をワッシャーカム８３へ向けて付勢するスプリング８５等から構成されている。
【先行技術文献】
【特許文献】
【０００３】
【特許文献１】特許公報  特許第４７４０６２７号
【発明の概要】
【発明が解決しようとする課題】
【０００４】
しかしながら特許文献１に記載のように、円環状のクリックプレートを用い、クリックプレートをかしめてトルクを出す構成では、ワッシャー径が大きくなり、回転支持構造が大型化するといった欠点があった。
【０００５】
さらに、図９に示されている構成では、ワッシャーカム８３とプッシュカム８４との嵌め合い状態から、ワッシャーカム８３の凹部からプッシュカム８４が外れて回転するまでの脱出トルクや、その後のプッシュカム８４がワッシャーカム周面に摺接しつつ回転する回転トルク等を調整することが容易にできない点、部品点数が多く組み立て工数が多くなる点、及び取付部材８０の両脇に大きな孔８６を形成する必要があり、回転軸のあおりに対する強度を十分に確保できない等の問題があった。
【０００６】
この発明は、部品点数が少なく、組み立てが容易で、安価に製造でき、しかも回転軸のトルク調整が容易なヒンジ機構を提供することを目的とするものである。
【課題を解決するための手段】
【０００７】
以上のような問題を解決する本発明のヒンジ機構は、第１筐体と第２筐体とを互いに回動可能に連結するヒンジ機構であって、
前記第１筐体及び前記第２筐体のいずれか一方に取り付けられる第１ブラケットと、この第１ブラケットに対し水平回転機構を介して回転可能に設けられた支持部材と、この支持部材に対し取り付けられたところの前記第１筐体及び前記第２筐体のいずれか他方に取り付けられる第２ブラケットとを備え、
前記水平回転機構は、
回転軸と、
該回転軸を回動自在に軸支する回転支持部と、
前記回転軸と前記回転支持部とにそれぞれ設けられ、凹と凸との係合によって一方が他方に対して係脱可能な一対の係合部と、
前記一対の係合部の内、一方の係合部を備え、前記回転支持部側に固定されるとともに、前記一方の係合部を他方の係合部へ向けて押接させる係合部材と、
他方の係合部は、前記回転軸の回動と一体として円弧軌跡上を移動する機構であって、
前記係合部材は、板状であって前記第１ブラケットに締着固定されていることを特徴する。
【０００８】
また、前記回転軸の回動時に、凸側の係合部が摺接する摺接部を有し、前記凸側の係合部の前記摺接部への押接圧を調節することによって、前記回転軸の回動に必要なトルクを調節する構成であることが好ましい。
【０００９】
前記係合部材の厚さを調整することによって、押接圧を調節する構成とすることができる。
【００１０】
前記係合部材の締着部と係合部との距離を調節することによって、押接圧を調節する構成とすることができる。
【００１１】
前記係合部材の締着部の締着力を調節することによって、押接圧を調整する構成とすることができる。
【００１２】
前記係合部材は、回転軸を挿通させる挿通孔と、挿通孔内周部の対向位置に各設けられた凸側の係合部と、該凸側の係合部から挿通孔の外方向へ各延設された締着部とを有する構成とすることができる。
【発明の効果】
【００１３】
以上説明したように本発明に係るヒンジ機構によれば、第１ブラケットに締着された板状係合部材の係合部が、回転軸側に設けられた係合部に係合する構成となっているので、部品点数や組み立て工程を削減することができる。
【００１４】
また、凸側の係合部の前記摺接部への押接圧を調節することによって、前記回転軸の回動に必要なトルクを調節する構成とすることで、回転軸の回転トルクの調整が容易となる。
【００１５】
前記係合部材の厚さを調整することによって、押接圧を調節することが容易となる。
【００１６】
前記係合部材の締着部分と係合部との距離を調節することによって、押接圧を調節することが容易となる。
【００１７】
前記係合部材の基体の締着部の締着力を調節することによって、押接圧を調整する構成とすることが容易となる。
【００１８】
以上のように押接圧を調節することで、回転軸の回転トルクや、係合部同士の脱出トルクの調節が容易となる。
【００１９】
回転軸を挿通させる挿通孔と、挿通孔内周部の対向位置に各設けられた凸側の係合部と、該凸側の係合部から挿通孔の外方向へ各延設された基体の締着部とを備えることで部品点数や組み立て工程をさらに削減することができる。
【図面の簡単な説明】
【００２０】
【図１】本発明のヒンジ機構を用いた係る電子機器の一例を示す図である。
【図２】本発明のヒンジ機構の一例を示す図である。
【図３】水平回転機構の構成を示す分解斜視図である。
【図４】水平回転機構の全体斜視図である。
【図５】クリックプレートの全体斜視図である。
【図６】一対のクリックプレートを一体化したクリックプレートを用いた場合を示す、水平回転機構の他の構成を示す分解斜視図である。
【図７】一体化したクリックプレートを用いた場合において、係合凸部の押し付け圧力を調節する他の構成例を示す、水平回転機構の構成を示す分解斜視図である。
【図８】一体化したクリックプレートを用いた場合において、係合凸部の押し付け圧力を調節する他の構成例を示す、水平回転機構の構成を示す分解斜視図である。
【図９】従来の構成を示すヒンジ機構の一部分解斜視図である。
【発明を実施するための形態】
【００２１】
以下、本発明に係るヒンジ機構を添付図面に基づいて詳述する。
【実施例１】
【００２２】
図１は本発明のヒンジ機構を用いた係る電子機器の一例を示す図である。図２〜図５は本発明の第１の実施形態のヒンジ機構を示す図である。本発明に係るヒンジ機構は、図１に示すように、電子機器１０を構成する第１筐体１１と第２筐体１２とを互いに回動可能に連結するものである。電子機器１０としては、特に限定されず、例えば、ノート型パソコン、携帯電話機、カーナビゲーション装置等の小型の電子機器等が挙げられる。また、本実施の形態では、電子機器１０としてノート型パソコンについて説明するが、これに限定されるものではない。
【００２３】
第１筐体１１は、例えば、キーボード１１ａ等を上面に有している。第１筐体１１は、キーボード１１ａの他にマザーボード、ハードディスクドライブ等を有している機器本体である。第２筐体１２は、例えば、ＬＣＤなどのディスプレイ１２ａを下面に有しているディスプレイ装置である。第１筐体１１及び第２筐体１２は、例えば、略同じ略矩形状にそれぞれ形成されている。これらの第１筐体１１と第２筐体１２とが互いに重ね合わされた閉じ状態でヒンジ機構１を介して互いに回動可能に連結されて電子機器１０が構成されている。
【００２４】
本発明に係る携帯機器のヒンジ機構１は、図１及び図２に示されるように、第１筐体１１及び第２筐体１２のいずれか一方、例えば、第１筐体１１に取り付けられる第１ブラケット２と、第１ブラケット２に回動自在に支持された支持部材３と、支持部材３の両端に垂直回転機構３２を介して各設けられた第２ブラケット４と、支持部材３の回転軸を回動自在に第１ブラケット２側で支持する水平回転機構８とを有している。
【００２５】
第１ブラケット２と支持部材３との間に設けられている水平回転機構８の構成について、図３に基づいて説明する。図３は、水平回転機構８の構成を示す分解斜視図、図４は、水平回転機構８の全体斜視図である。水平回転機構８は、支持部材３の中央部に突設された回転軸３１と、板状の第１ブラケット２に形成された、回転軸３１を挿通させる回転支持部としての支持孔２１と、支持孔２１から反対側に突出た回転軸３１の先端に外装され、回転軸３１と一体として回動するカム部材としてのワッシャーカム５１と、ワッシャーカム５１の両側に配置された係合部材としてのクリックプレート５２ａ、５２ｂと、回転軸３１に外装され、支持部材３と第１ブラケット２との間に介挿される、重ねられた複数のワッシャー６１、６２、６３、６４、６５とを有している。
【００２６】
ワッシャー６１の内側形状は、回転軸３１の横断面形状に合致し、回転軸３１と一体回動するように構成されており、外周端から突出した突起６１１には、規制部材６６が接続される。規制部材６６は、支持孔２１の外周に沿って円弧状に形成された規制スリット２２内に収容され、回転軸３１は、規制スリット２２の円弧の中心角と同じ角度範囲で回動可能となっている。
【００２７】
支持孔２１に挿通する回転軸３１の先端は、第１ブラケット２の下側に突出し、該突出部分にワッシャーカム５１が外装される。ワッシャーカム５１の内側形状は、回転軸３１の横断面形状に合致し、ワッシャーカム５１は回転軸３１と一体回動する。ワッシャーカム５１において、外周端の対向する位置には、切欠けによって形成された係合部である係合凹部５１２ａ、５１２ｂが形成されている。この係合凹部５１２ａ、５１２ｂは、切欠きによってワッシャーカム５１の厚さ方向(回転軸３１の軸方向)に凹んだ凹部として形成される。この係合凹部５１２ａ、５１２ｂには、後述するクリックプレート５２ａ、５２ｂの係合凸部５２４が係合し、回転軸３１の回動に応じて、係合凹部５１２ａ、５１２ｂは、係合凸部５２４、５２４との係合から外れて移動する。また、ワッシャーカム５１の内周端と外周端の間の平面は、クリックプレート５２ａ、５２ｂの係合凸部５２４が摺接する摺接部５１３となっている。尚、図３において指示記号５１１は、ワッシャーカム５１を回転軸３１に係合させる変形係止孔である。
【００２８】
図５は、係合部材であるクリックプレート５２ｂの全体斜視図である。クリックプレート５２ｂと、ワッシャーカム５１を介して反対側に配置されるクリックプレート５２ａとは、同じ形状であるので、クリックプレート５２ｂの構成を説明し、クリックプレート５２ａの説明は省略する。
【００２９】
クリックプレート５２ｂは、板状に構成され、第１ブラケット２に締着手段としてのネジ５３ａ、５３ｂが挿通するネジ挿通孔５２１ａ、５２１ｂが形成された締着部５２１を備える基体５２５と、締着部５２１の反対側端部に形成された係合部としての係合凸部５２４と、係合凸部５２４が形成された先端部５２２と、先端部５２２と基体５２５との間に形成された段部５２３とを有している。
【００３０】
クリックプレート５２ｂは、先端部５２２がワッシャーカム５１に重なる位置で、第１ブラケット２に固定される。即ち、クリックプレート５２ｂは、締着部５２１のネジ挿通孔５２１ａ、５２１ｂを挿通するネジ５３ａ、５３ｂを第１ブラケット２側のネジ孔２３ａ、２３ｂに螺合させ、これを締め込むことで、回動軸３１を支持する回転支持部である支持孔２１側に締着固定される。
【００３１】
クリックプレート５２ｂの段部５２３は、基体５２５の上面と先端部５２２の上面との間隔が、ワッシャーカム５１の厚さと略同じとなる程度に形成されている。そして、係合凸部５２４の凸部頂点と基体５２５の上面との間隔は、ワッシャーカム５１の厚さより小さく設定されている。このように構成することによって、係合凸部５２４は、係合凹部５１２ａ、５１２ｂ内に係合できる。係合凸部５２４は、例えばプレス加工によって形成され、係合凸部５２４の端には傾斜５２４ａ、５２４ａが形成される。この傾斜５２４ａ、５２４ａによって、係合凸部５２４が、係合凹部５１２ａ、５１２ｂ内から脱出可能となり、また、係合凸部５２４の位置近傍に係合凹部５１２ａ、５１２ｂが移動した際、係合凹部５１２ａ、５１２ｂ内に係合凸部５２４が落ち込むように吸い込み動作を生じさせることが容易となる。
【００３２】
係合凸部５２４、５２４がワッシャーカム５１に押し付けられる圧力を調節することによって、回転軸３１の回動に必要なトルクや、係合凹部５１２ａ、５１２ｂとの係合から係合凸部５２４、５２４が脱出するためのトルクを調節することができる。即ち、圧力を強くすることによって、係合凸部５２４、５２４とワッシャーカム５１の摺接部５１３との摩擦力が高くなり、回転軸３１を回動させるために必要なトルクが大きくなる。また、圧力を弱くすることによって、係合凸部５２４、５２４とワッシャーカム５１の摺接部５１３との摩擦力が小さくなり、回転軸３１を回動させるために必要なトルクが小さくなる。
【００３３】
従って、クリックプレート５２ａ、５２ｂを締着固定するネジ５３ａ、５３ｂの締め付け度合で、クリックプレート５２ａ、５２ｂの板厚、締着位置から係合凸部５２４までの距離等によって、係合凸部５２４がワッシャーカム５１に押し付けられる圧力が調節されるので、ネジ５３ａ、５３ｂの締め付け度合によって、回転軸３１の回転トルクを調節することができる。
【００３４】
例えば、係合凸部５２４に近いネジ５３ａの締め付け位置で、押し付け圧力が決まるので、図３に想像線で示すように、ネジ５３ａのネジ頭とクリックプレート５２の間にディスクスプリング５４を介挿し、締着力を調整させることで、押し付け圧力を調整することができる。或いは、クリックプレート５２自体の厚さを厚くすることで、締着部５２１のバネ定数が変わるので、押し付け力を調整することができる。また、同じ大きさのクリックプレート５２ｃを重ねて締着することで、同様の作用を発揮させることができる。
【実施例２】
【００３５】
図６は、第２の実施形態のヒンジ機構を示すもので、図３における一対のクリックプレート５２ａ、５２ｂを一体化した係合部材であるクリックプレート５２ｄを用いた場合を示す、水平回転機構８の他の構成を示す分解斜視図である。クリックプレート５２ｄは、回転軸３１を挿通させる挿通孔５２６ａを有する中央の円環状連結部５２６と、円環状連結部５２６を中心として対向位置から放射状に延設された一対の基体５２５Ａ、５２５Ｂが設けられている。基体５２５Ａ、５２５Ｂと連結部５２６との間には、それぞれ段部５２３Ａ、５２３Ｂが形成されている。連結部５２６の内周端において基体５２５Ａ、５２５Ｂに対応する位置には、ワッシャーカム５１側に突出した凸部が形成され、この凸部によって係合部である係合凸部５２４Ａ、５２４Ｂが設けられている。基体５２５Ａ、５２５Ｂの各端部には、締着用ネジ挿通孔５２１ａ、５２１ｂ、５２１ｃが形成された締着部５２１Ａ、５２１Ｂがそれぞれ設けられている。各締着部５２１Ａ、５２１Ｂに各設けられているネジ挿通孔５２１ａ、５２１ｂ、５２１ｃは、正三角形の頂点の位置に配置され、最も係合凸部５２４Ａ、５２４Ｂに近いネジ挿通孔５２１ａ、５２１ａと、基体５２５Ａ、５２５Ｂの端辺に沿って配置されたネジ挿通孔５２１ｂ、５２１ｃ・５２１ｂ、５２１ｃとから構成されている。
【００３６】
円環状連結部５２６は、ワッシャーカム５１の上に重ねて配置された状態で、両端の締着部５２１Ａ、５２１Ｂにおいて締着固定される。締着固定は、両端のネジ挿通孔５２１ａ、５２１ｂ、５２１ｃ・５２１ａ、５２１ｂ、５２１ｃを挿通する締着ネジ５３ａ、５３ｂ、５３ｃ・５３ａ、５３ｂ、５３ｃを、第１ブラケット２のネジ孔２３ａ、２３ｂ、２３ｃ・２３ａ、２３ｂ、２３ｃにねじ込むことでなされる。この構成例の場合、一対の係合凸部５２４Ａ、５２４Ｂの形成位置は、基体５２５Ａ、５２５Ｂの中心線を結ぶ線上に位置していなくても良く、前記中心線に対して円環状連結部５２６の中心で直交する線上に設けられていてもよく、或いは、円環状連結部５２６の内周縁において、対向する位置であれば、何処でもよい。
【００３７】
以上のように２つのクリックプレート５２ａ、５２ｂを一体化することによって、部品点数の削減を図ることができる。
【実施例３】
【００３８】
図７は、第３の実施形態のヒンジ機構を示すもので、一体化した係合部材としてのクリックプレート５２ｄを用いた場合において、係合凸部の押し付け圧力を調節する他の構成例を示す分解斜視図である。この構成例では、係合部材であるクリックプレート５２ｄの基体５２５Ａ、５２５Ｂにおいて、係合凸部５２４Ａ、５２４Ｂから最も離れたネジ挿通孔５２１ｂ、５２１ｃにおいて、ネジ５３ｂ、５３ｃで締着固定される。この際、ネジ５３ｂ、５３ｃのネジ頭と基体５２５Ａ、５２５Ｂの間に、板状の調整部材５５ａ、５５ｂが介挿される。調整部材５５ａ、５５ｂには、ネジ５３ｂ、５３ｃが挿通するネジ挿通孔５５１ｂ、５５１ｃがそれぞれ形成されている。調整部材５５ａ、５５ｂは、剛体で構成され、ネジ５３ｂ、５３ｃを締め付けることによって、クリックプレート５２ｄの基体５２５Ａ、５２５Ｂ両端部は、調整部材５５ａ、５５ｂと第１ブラケット２との間に挟まれ、確実に締着固定される。即ち、調整部材５５ａ、５５ｂが基体５２５Ａ、５２５Ｂに接触している部分が締着部５２１Ａ、５２１Ｂとなる。係合凸部５２４Ａ、５２４Ｂがワッシャーカム５１に押し付けられる圧力は、係合凸部と締着部との距離によっても調整できる。係合凸部と締着部との距離が短い場合には、押し付けられる圧力が大きくなり、短い場合には小さくなる。
【００３９】
具体的には、係合凸部５２４Ａ、５２４Ｂと、調整部材５５ａ、５５ｂの係合凸部５２４Ａ、５２４Ｂに対向する端辺５５１ａ、５５１ａとの間の距離が、係合凸部５２４Ａ、５２４Ｂと締着部５２１Ａ、５２１Ｂとの距離となる。従って、調整部材５５ａ、５５ｂの大きさを選択し、端辺５５１ａ、５５１ａの位置を調節することによって、係合凸部５２４Ａ、５２４Ｂがワッシャーカム５１に押し付けられる圧力を調節することができる。
【実施例４】
【００４０】
図８は、第４の実施形態のヒンジ機構を示すもので、一体化した係合部材としてのクリックプレート５２ｄを用いた場合において、係合凸部の押し付け圧力を調節する他の構成例を示す分解斜視図である。図８に示されている係合部材であるクリックプレート５２ｄにおいて、係合凸部５２４Ａ、５２４Ｂの押し付け圧力を調整するには、係合凸部５２４Ａ、５２４Ｂに近い位置にあるネジ５３ａ、５３ａのネジ頭とクリックプレート５２ｄとの間にディスクスプリング５４を介挿する。ディスクスプリング５４は、円錐台形状であって、ねじ込まれるネジ頭によって、ディスクスプリング５４を押しつぶすことによって軸方向に弾性変形し、変形したスプリングの弾性力(復元力)を得て、締着力を調整するものである。このようなディスクスプリング５４を介挿することで、ネジの締着によって調整できる押し付け圧力の範囲を広げることができる。
【００４１】
このようなディスクスプリング５４を介挿する構成は、図３に示されているような分割されたクリックプレート５２ａ、５２ｂにおいても用いることが可能である。
【００４２】
以上のような構成によって、回転軸３１の回転トルクの調整を、簡易な構成によって実現することが可能となる。
【産業上の利用可能性】
【００４３】
以上説明したように本発明に係るヒンジ機構は、第１ブラケットに対して第２ブラケットを垂直方向に開いたとき、第２ブラケットについて水平回転機構による水平方向の回転を行えるようになるので、ディスプレイ装置を水平方向に回転させることができ、機構のコンパクト化を図ることができることから、特にノートパソコンに好適に用いられるものである。
【符号の説明】
【００４４】
１  ヒンジ機構
１０  電子機器
１１  第１筐体
１１ａ  キーボード
１２  第２筐体
１２ａ  ディスプレイ
２  第１ブラケット
２１  支持孔
２２  規制スリット
２３ａ〜２３ｃ  ネジ孔
３  支持部材
３１  回転軸
３２  垂直回転機構
４  第２ブラケット
８  水平回転機構
５１  ワッシャーカム
５１１  変形係止孔
５１２ａ、５１２ｂ  係合凹部
５１３  摺接部
５２、５２ａ〜５２ｄ  クリックプレート（係合部材）
５２１、５２１Ａ、５２１Ｂ  締着部
５２１ａ〜５２１ｃ  ネジ挿通孔
５２２  先端部
５２３、５２３Ａ、５２３Ｂ  段部
５２４、５２４Ａ、５２４Ｂ  係合凸部
５２４ａ  傾斜
５２５、５２５Ａ、５２５Ｂ  基体
５２６  円環状連結部
５３ａ〜５３ｃ  ネジ
５４  ディスクスプリング
５５ａ、５５ｂ  調整部材
５５１ａ  端辺
５５１ｂ、５５１ｃ  ネジ孔
６１〜６５  ワッシャー
６１１  突起
６６  規制部材
８０  取付部材
８１  支持部材
８２  回転軸
８３  ワッシャーカム
８４  プッシュカム
８５  スプリング
８６  孔
【図１】
2016205507.tif 000003
【図２】
2016205507.tif 000004
【図３】
2016205507.tif 000005
【図４】
2016205507.tif 000006
【図５】
2016205507.tif 000007
【図６】
2016205507.tif 000008
【図７】
2016205507.tif 000009
【図８】
2016205507.tif 000010
【図９】
2016205507.tif 000011